(57)【要約】      （修正有）【課題】傘骨におけるコンパクト型受骨を提供する。【解決手段】元親骨３、内受骨１、内引き線２、主材４、外引き線５及び先骨７を含む。内受骨の先端は元親骨の中央に枢結している。元親骨の先端は主材の中央下部に枢結している。主材の先端は先骨の中央下部に枢結している。内引き線は、一端が内受骨の中央上部に枢結しており、他端が主材の後端に枢結している。外引き線は、一端が元親骨の中央上部に連結しており、他端が先骨の後端に枢結している。主材は断面がダンベル型であり、補強ロッドと中板を含み、中板の両側に２つの補強ロッドが対称に設けられている。従来技術と比較して、本考案は以下の点で優れている。即ち、主材の特殊な構造設計によって、２つの補強ロッドを用いて主材の構造強度を保証する。即ち、主材の構造強度を保証するとともに、受骨の閉止時に、受骨の構造がいっそうコンパクトとなり、閉止後の占有スペースが縮小するため、傘の携帯性が向上する。【選択図】図１
0003204969.tif 000002
【実用新案登録請求の範囲】
【請求項１】
元親骨、内受骨、内引き線、主材、外引き線及び先骨を含み、内受骨の先端が元親骨の中央に枢結し、元親骨の先端が主材の中央下部に枢結し、主材の先端が先骨の中央下部に枢結し、内引き線は、一端が内受骨の中央上部に枢結し、他端が主材の後端に枢結しており、外引き線は、一端が元親骨の中央上部に連結し、他端が先骨の後端に枢結している傘骨におけるコンパクト型受骨において、
主材は断面がダンベル型であり、補強ロッドと中板を含み、中板の両側に２つの補強ロッドが対称に設けられていることを特徴とする傘骨におけるコンパクト型受骨。
【請求項２】
主材にはスライダーが更に設けられており、スライダーは、ベースと、ベース上の逆向きに対向する２つの突起を含み、２つの突起の延伸斜辺とベースとの間は空洞の引き線スロットになっており、引き線スロットは２つの突起の延伸斜辺の間に位置していることを特徴とする請求項１記載の傘骨におけるコンパクト型受骨。
【請求項３】
補強ロッドは四角形又は円形であることを特徴とする請求項１記載の傘骨におけるコンパクト型受骨。
【考案の詳細な説明】
【技術分野】
【０００１】
本考案は傘骨に関し、具体的には、長傘及び外側又は内側に折り畳み可能な多段折り傘に適用される傘骨におけるコンパクト型受骨に関する。
【背景技術】
【０００２】
傘は、日光や雨、雪を遮るための道具であり、日常生活において極めて広く用いられている。携帯性を考慮して、現在の傘の多くは多段折りとなっている。多段折り傘は一般的に、傘骨、傘面、傘柄を含み、中でも傘骨は傘の核心部材として、中棒、上ろくろ、下ろくろ、受骨を一般的に含む。受骨は、上ろくろ、下ろくろ及び中棒と連動して、下ろくろが中棒上で往復運動するのに伴い、上ろくろを支点とする開閉運動を実現する。
【０００３】
傘構造の安定性を保証し、丈夫で長持ちするように、受骨の主材を分厚くし、厚みを増すことで主材の構造強度を強化するとともに、傘骨構造の安定性を保証するというのが目下の手法である。
【０００４】
上記の方法の場合、傘骨構造の安定性というニーズは満たされる。しかし、従来の主材は多くが単純な棒状であるため、全体の厚みを分厚くしてしまうと、折り畳み後に傘骨の直径が増し、寸法が大きくなることで携帯しにくくなってしまう。
【考案の概要】
【考案が解決しようとする課題】
【０００５】
本考案は、従来の傘骨における受骨構造の課題を解消し、傘骨構造の安定性を保証するとともに、傘骨の直径寸法が縮小されるコンパクト型受骨を提供することを目的とする。
【課題を解決するための手段】
【０００６】
上記の目的を実現するために、本考案は以下の技術方案を用いた。即ち、傘骨におけるコンパクト型受骨であって、元親骨、内受骨、内引き線、主材、外引き線及び先骨を含む。
【０００７】
内受骨の先端は元親骨の中央に枢結している。
【０００８】
元親骨の先端は主材の中央下部に枢結している。
【０００９】
主材の先端は先骨の中央下部に枢結している。
【００１０】
内引き線は一端が内受骨の中央上部に枢結しており、他端が主材の後端に枢結している。
【００１１】
外引き線は一端が元親骨の中央上部に連結しており、他端が先骨の後端に枢結している。
【００１２】
主材は断面がダンベル型であり、補強ロッドと中板を含み、中板の両側に２つの補強ロッドが対称に設けられている。
【００１３】
主材にはスライダーが更に設けられている。スライダーは、ベースと、ベース上の逆向きに対向する２つの突起を含む。２つの突起の延伸斜辺とベースとの間は空洞の引き線スロットになっており、引き線スロットは２つの突起の延伸斜辺の間に位置している。
【００１４】
更に、外引き線はスライダーの引き線スロットに挿入される。
【００１５】
引き線を回転させるか、或いはスライダー内に固定することで、抜け落ちは生じない。
【００１６】
更に、補強ロッドは四角形又は円形とすればよい。
【００１７】
本考案を実施する際には、内受骨の後端と元親骨の後端をそれぞれ下ろくろと上ろくろに枢結する。下ろくろを操作すると、内受骨は先端の枢結点を軸心として開閉し、更に内引き線を連動することで受骨全体の開閉が実現される。閉止状態では、主材の両面にそれぞれ収納槽が形成されているため、元親骨と先骨の部分がその中に配置される。
【考案の効果】
【００１８】
従来技術と比較して、本考案は以下の点で優れている。即ち、主材の特殊な構造設計によって、２つの補強ロッドを用いて主材の構造強度を保証する。即ち、主材の構造強度を保証するとともに、受骨の閉止時に、受骨の構造がいっそうコンパクトとなり、閉止後の占有スペースが縮小するため、傘の携帯性が向上する。
【図面の簡単な説明】
【００１９】
【図１】図１は、本考案における受骨の開放状態の構造を示す図である。
【図２】図２は、本考案における受骨の閉止状態の構造を示す図である。
【図３】図３は、本考案における主材の構造を示す図である。
【図４】図４は、本考案における主材の断面を示す図である。
【考案を実施するための形態】
【００２０】
本考案を更に説明しやすいように、図面を組み合わせて実施例を挙げ、本考案につき更に説明する。
【００２１】
実施例：
図１〜４に示すように、本考案は、親骨３、内受骨１、内引き線２、主材４、外引き線５、先骨７を含む。
【００２２】
内受骨１の先端は元親骨３の中央に枢結している。
【００２３】
元親骨３の先端は主材４の中央下部に枢結している。
【００２４】
主材４の先端は先骨７の中央下部に枢結している。
【００２５】
内引き線２は一端が内受骨１の中央上部に枢結しており、他端が主材４の後端に枢結している。
【００２６】
外引き線５は一端が元親骨３の中央上部に連結しており、他端が先骨７の後端に枢結している。
【００２７】
主材４は断面がダンベル型であり、補強ロッド８と中板９を含む。中板９の両側に２つの補強ロッド８が対称に設けられている。
【００２８】
主材４にはスライダー６が更に設けられている。スライダー６は、ベースと、ベース上の逆向きに対向する２つの突起を含む。２つの突起の延伸斜辺とベースとの間は空洞の引き線スロットになっており、引き線スロットは２つの突起の延伸斜辺の間に位置している。
【００２９】
以上の実施例は本考案の好ましい実施例であって、本考案を何らかの形式に制限するものではない。当業者であれば、上記で開示した技術内容を用いて変形又は等価に変更された均等の実施例への修正が可能である。ただし、本考案の技術方法の原則と内容から逸脱することなく、本考案の技術的本質に基づいて行われた上記実施例の修正、等価の変形及び補正は、いずれも本考案の技術方法の範囲内に属するものとする。
【符号の説明】
【００３０】
１  内受骨
２  内引き線
３  元親骨
４  主材
５  外引き線
６  スライダー
７  先骨
８  補強ロッド
９  中板
【図１】
0003204969.tif 000003
【図２】
0003204969.tif 000004
【図３】
0003204969.tif 000005
【図４】
0003204969.tif 000006